(57)【要約】【課題】ダイヤルデータをより容易に保護することができるボタン電話システムを提供する。【解決手段】主装置１のロック部１３２は、ボタン電話機２Ａ〜２Ｎの操作入力部２３により所定のロック解除操作が検出されたか否かに基づいてダイヤルデータ１４２の使用の可否を制御する。これにより、ロック解除操作がパスワードを記憶する場合よりも感覚的に記憶することが可能となるので、ダイヤルデータ１４２をより容易に保護することできる。また、ロック解除操作そのものによりダイヤルデータ１４２の使用の可否が制御されるので、パスワードを入力する場合のように複雑な操作が不要とすることが可能となり、結果として、ダイヤルデータ１４２をより容易に保護することができる。【選択図】  図１
2008252828.tif 000002
【特許請求の範囲】
【請求項１】
電話網に接続された主装置と、内線伝送路を介して前記主装置に接続される複数のボタン電話機とを備えたボタン電話システムであって、
前記主装置は、
ダイヤルデータを記憶する記憶部と、
前記ダイヤルデータの使用の可否を制御するロック部と
を備え、
前記ボタン電話機は
ユーザの操作を入力する操作入力部
を備え、
前記ロック部は、前記操作入力部における所定の操作が検出されたか否かに基づいて、前記ダイヤルデータの使用の可否を制御する
ことを特徴とするボタン電話システム。
【請求項２】
前記記憶部は、
前記ボタン電話機共通のダイヤルデータを記憶し、
前記ロック部は、特定の前記ボタン電話機の前記操作入力部により所定の操作が検出されたか否かに基づいて、前記ボタン電話機共通のダイヤルデータの使用の可否を制御する
ことを特徴とする請求項１記載のボタン電話システム。
【請求項３】
前記記憶部は、
前記ボタン電話機毎のダイヤルデータを記憶し、
前記ロック部は、前記ボタン電話機共通のダイヤルデータを使用可とした後、任意の前記ボタン電話機の前記操作入力部により所定の操作が検出されたか否かに基づいて、前記任意のボタン電話機のダイヤルデータの使用の可否を制御する
ことを特徴とする請求項２記載のボタン電話システム。
【発明の詳細な説明】
【技術分野】
【０００１】
本発明は、ボタン電話システムに関し、特に発信履歴、着信履歴、電話帳等の情報を記憶することができるボタン電話システムに関するものである。
【背景技術】
【０００２】
一般に、ボタン電話システムは、電話網に接続されている主装置と、この主装置に接続された１台以上のボタン電話機とから構成されている。ボタン電話機では、キー操作やハンドセットの状態を検出し、これらの操作情報を主装置に送信し、主装置では、ボタン電話機からの操作情報に基づき機能処理を行うことにより、電話網を介しての外線通話、他のボタン電話機との内線通話、通話中の外線を保留にする保留動作などの各種機能が実現される。
【０００３】
このようなボタン電話システムでは、ボタン電話システムやボタン電話機単位で、発信履歴、着信履歴、電話帳等のデータ（以下、ダイヤルデータという）を記憶する機能が備えられている。このようなダイヤルデータは、個人情報が含まれることが少なくないので、第３者に流出することは望ましくない。そこで、従来では、パスワードや指紋認証技術（例えば、特許文献１参照）を用いることによりダイヤルデータを保護することが提案されている。
【０００４】
【特許文献１】特開平５−１０３０６８号公報
【発明の開示】
【発明が解決しようとする課題】
【０００５】
しかしながら、従来のようにパスワードを用いる場合、パスワードが数字、文字、記号等の羅列から構成されるので、意識的に覚える必要があり、記憶するのが困難なことがあった。また、従来のようにパスワードを用いる場合には、第３者にパスワードが見破られるのを防ぐため、パスワードとして長い文字列を用いる場合があり、キー入力が面倒なことがあった。
また、指紋認証技術を用いる場合には、装置構成が複雑になると共に高コストであった。
【０００６】
そこで、本願発明は、ダイヤルデータをより容易に保護することができるボタン電話システムを提供することを目的とする。
【課題を解決するための手段】
【０００７】
上述したような課題を解消するために、本発明に係るボタン電話システムは、電話網に接続された主装置と、内線伝送路を介して主装置に接続される複数のボタン電話機とを備えたボタン電話システムであって、主装置は、ダイヤルデータを記憶する記憶部と、ダイヤルデータの使用の可否を制御するロック部とを備え、ボタン電話機は、ユーザの操作を入力する操作入力部を備え、ロック部は、操作入力部における所定の操作が検出されたか否かに基づいて、ダイヤルデータの使用の可否を制御することを特徴とする。
【０００８】
ここで、ロック部は、操作入力部によりダイヤル以外の操作を含む一連の操作が検出されると、ダイヤルデータを使用可とするようにしてもよい。また、操作入力部による検出結果を表示する表示部をさらに備え、ロック部は、操作入力部により表示部の表示とは異なる所定の操作が検出されると、ダイヤルデータを使用可とするようにしてもよい。また、ロック部は、操作入力部により着信に応答する操作が所定のタイミングで行われると、ダイヤルデータを使用可とするようにしてもよい。また、ロック部は、操作入力部により合図に対する操作が所定のタイミングで行われると、ダイヤルデータを使用可とするようにしてもよい。
【０００９】
上記ボタン電話システムにおいて、記憶部は、ボタン電話機共通のダイヤルデータを記憶し、ロック部は、特定のボタン電話機の操作入力部により所定の操作が検出されたか否かに基づいて、ボタン電話機共通のダイヤルデータの使用の可否を制御するようにしてもよい。
【００１０】
上記ボタン電話システムにおいて、記憶部は、ボタン電話機毎のダイヤルデータをさらに記憶し、ロック部は、ボタン電話機共通のダイヤルデータを使用可とした後、任意のボタン電話機の操作入力部により所定の操作が検出されたか否かに基づいて、任意のボタン電話機のダイヤルデータの使用の可否を制御するようにしてもよい。
【発明の効果】
【００１１】
本発明によれば、所定の操作が検出されたか否かに基づいてダイヤルデータの使用の可否を制御することにより、当該所定の操作がパスワードを記憶する場合よりも感覚的に記憶することが可能となるので、ダイヤルデータをより容易に保護することできる。また、所定の操作そのものによりダイヤルデータの使用の可否が制御されるので、パスワードを入力する場合のように複雑な操作が不要とすることが可能となり、結果として、ダイヤルデータをより容易に保護することができる。さらに、新たな装置を設ける必要がないので、装置構成が複雑になるのを防ぐことができるとともに、低コストも実現することができる。
【発明を実施するための最良の形態】
【００１２】
［ボタン電話システムの構成］
以下、図面を参照して、本発明の実施の形態について詳細に説明する。図１に示すように、本実施の形態に係るボタン電話システムは、アナログ電話網、ＩＳＤＮ（Integrated Service Digital Network）網、ＩＰ（Internet Protocol）網等からなる電話網１０に接続された主装置１と、内線伝送路２０を介して主装置１に接続された複数のボタン電話機２（２Ａ〜２Ｎ）とから構成される。
【００１３】
＜主装置の構成＞
主装置１は、電話網１０を終端制御する外線Ｉ／Ｆ部１１と、内線伝送路２０を介して接続された各ボタン電話機とデータ伝送を行う内線Ｉ／Ｆ部１２と、外線Ｉ／Ｆ部１１と内線Ｉ／Ｆ部１２との間に設けられ、各種機能処理を行う主制御部１３と、この主制御部１３での処理に必要な情報を記憶する主記憶部１４とを備える。
【００１４】
主制御部１３は、各ボタン電話機２の動作制御や電話網１０の制御など、一般的なボタン電話システムが持つ機能を提供するための機能処理部１３１と、後述する主記憶部１４に記憶されたダイヤルデータ１４２の使用の可否を制御するロック部１３２と、このロック部１３２により使用不可とされたダイヤルデータ１４２を使用可とするためのユーザの操作（以下、ロック解除操作という）を登録する操作登録部１３３とが設けられている。
【００１５】
主記憶部１４は、機能処理部１３１によりボタン電話システムの機能を実現するために用いられる制御データ１４１と、発信履歴、着信履歴、電話帳など通信相手を特定するための情報からなるダイヤルデータ１４２と、このダイヤルデータ１４２が使用不可とされている場合にこれを使用可とするためのユーザのロック解除操作に関する操作データ１４３とを記憶している。
【００１６】
ここで、ダイヤルデータ１４２は、図２（ａ）に示すように、ボタン電話機２共通のダイヤルデータからなるシステムデータ１４２ａと、ボタン電話機２個別のダイヤルデータからなる個別データ１４２ｂ−１〜ｎとから構成される。この個別データ１４２ｂ−１〜ｎは、この順序でボタン電話機２Ａ〜２Ｎと１対１に対応する。なお、ダイヤルデータとしては、電話番号、氏名、ＩＰアドレス、メールアドレス等が含まれる。このようなダイヤルデータは、ボタン電話機２Ａ〜２Ｎにより発着信を行ったり、電話帳を作成したりすることにより、ダイヤルデータ１４２として主装置１に記憶される。
【００１７】
また、操作データ１４３は、図２（ｂ）に示すように、システムデータ１４２ａを使用可とするためのロック解除操作に関するシステム解除データ１４３ａと、各個別データ１４２ｂ−１〜ｎを使用可とするためのロック解除操作に関する個別解除データ１４３ｂ−１〜ｎとから構成される。個別解除データ１４３ｂ−１〜ｎは、この順序でボタン電話機２Ａ〜２Ｎと１対１に対応する。
【００１８】
＜ボタン電話機の構成＞
ボタン電話機２（２Ａ〜２Ｎ）は、それぞれ同様の構成をなしている。これらのボタン電話機２は、内線伝送路２０を介して主装置１とデータ伝送を行う伝送Ｉ／Ｆ部２１と、伝送Ｉ／Ｆ部２１で受信された音声データを音声信号へ復号化してＨＳ(Hand Set)２２１やＳＰ(Speaker)２２２へ出力し、ＨＳ２２１から入力された音声信号を音声データへ符号化して伝送Ｉ／Ｆ部２１へ出力する音声処理部２２と、ダイヤルキー、機能キー、フックスイッチ等の操作入力装置からなりユーザの操作入力を検出する操作入力部２３と、この操作入力部２３で検出された操作データを伝送Ｉ／Ｆ部２１を介して主装置１へ送信するとともに、伝送Ｉ／Ｆ部２１で受信された主装置１からの制御データに基づきボタン電話機の各回路部を制御する子機制御部２４と、子機制御部２４での制御処理に必要な各種情報を記憶する制御メモリ２５と、各種情報を表示するＬＣＤ（Liquid Crystal Display）やＬＥＤ(Light Emitting Diode)などの表示部２６とを備える。
【００１９】
［ボタン電話システムの動作］
次に、図３〜図５を参照して、ボタン電話システムの動作について説明する。
【００２０】
＜ロック解除操作登録動作＞
まず、図３を参照して、ロック解除操作の登録動作について説明する。
【００２１】
《ボタン電話システムのロック解除操作の登録動作》
出荷直後やボタン電話システムの初期化後など、主装置１の主記憶部１４の操作データ１４３に何れのデータも登録されていない状態において、ボタン電話システムの電源が投入されると（ステップＳ１）、主制御部１３の操作登録部１３３は、ロック解除操作の登録を要求する（ステップＳ２）。この要求は、ボタン電話機２Ａ〜２Ｎのうち、予め設定されたボタン電話機２（本実施の形態においては、ボタン電話機２Ａとする）に対して行われる。主装置１の操作登録部１３３は、ボタン電話機２Ａの子機制御部２４により、ユーザにロック解除操作を行わせる。これは、例えば、ＬＣＤ等の表示部２６に登録を要求する旨の表示させたり、ＳＰ２２２より登録を要求する旨の音声を出力させたり、所定の合図を出力したりすることにより行われる。ロック解除操作の具体例について、以下に示す。
【００２２】
（第１のロック解除操作）
第１のロック解除操作は、ダイヤルキー以外の操作を含む一連の操作をロック解除操作とするものである。従来のようにパスワードを入力する場合には、一般にダイヤルキーのみしか使用されない。しかしながら、ボタン電話システムには、ダイヤルキーのみならず各種入力装置が設けられている。そこで、フックスイッチ、ダイヤルキー、機能キーなど操作入力部２３を構成する各種入力装置に対する操作そのものを、ロック解除操作とする。例えば、「オフフック」、「保留ボタン押下」、「フラッシュボタン押下」、「オンフック」という一連の操作が行われると、この一連の操作をロック解除操作として検出するものである。このような一連の操作は、意識的にではなく感覚的に行われる場合が多いので、従来よりもより容易にロック解除操作を記憶することが可能となる。
【００２３】
（第２のロック解除操作）
第２のロック解除操作は、第１のロック解除操作と同様、操作入力部２３に対する操作そのものをロック解除操作とするものであり、特に、表示部２６の表示と異なる操作に関するものである。例えば、ダイヤルキーが、「１」、「２」、「３」、「４」、「ＢＳ(Back Space)」、「ＢＳ」、「６」、「７」の順で押下された場合、この一連の操作をロック解除操作として検出する。この場合、表示部２６には「ＢＳ」で「３」と「４」が消去されるため「１２６７」と表示されるが、この表示の通りに「１」、「２」、「６」、「７」とダイヤルしても、ロック部１３２は、エラーとしてシステムデータ１４２ａを使用不可とする。これにより、例えば、ロック解除操作を行ったときに表示部２６を第３者に見られた場合であっても、表示部２６の表示とロック解除操作が異なるため、システムデータ１４２ａを使用可とすることが困難となり、結果としてダイヤルデータ１４２をより容易かつ効果的に保護することができる。
【００２４】
（第３のロック解除操作）
第３のロック解除操作は、ユーザの操作の癖をロック解除操作とするものであり、特に、着信応答のタイミングに関するものである。着信への応答は、例えば、ブザーの鳴動の回数やその回数における鳴動の序盤、中盤、終盤など個人差があるとともに、無意識のうちにいつも同じタイミングで行われていることが多い。そこで、ボタン電話機２Ａに対して着信が入ったとき、ＳＰ２２２から所定のリズムを有するブザー音を常に曲頭から出力させ、この時点からＨＳ２２１をオフフックにしたり機能キーを押下したりするなどの着信応答動作を行うまでの時間を、ロック解除操作として検出する。これにより、ロック解除操作を意識的に記憶する必要がないのとともに、複雑な操作も不要となるので、結果として、ダイヤルデータをより容易に保護することができる。
【００２５】
（第４のロック解除操作）
第４のロック解除操作は、第３のロック解除操作と同様、ユーザの操作の癖をロック解除操作とするものであり、特に、パスワードを押下するタイミングに関するものである。着信に応答する場合と同様、ある合図に対する反応には個人差があり、これが無意識のうちにいつも同じタイミングで行われる場合が多い。そこで、ボタン電話機２ＡのＳＰ２２２からパスワードを催促する音声を出力させ、この時点からダイヤルキーを押下するなどのパスワードの入力を開始するまでの時間を、ロック解除操作として検出する。これにより、ロック解除操作を意識的に記憶する必要がないのとともに、複雑な操作も不要となるので、結果として、ダイヤルデータをより容易に保護することができる。
【００２６】
なお、複数の操作の入力が行われる場合には、ボタンを押下する間隔も併せて登録するようにしてもよい。また、入力させるパスワードは、特定のものに限定されず、単に４つのダイヤルなどランダムなものであってもよい。
【００２７】
上述した第１〜第４のロック解除操作のうちの何れかを行うようにとの要求に対して、操作入力部２３によりユーザのロック解除操作が検出され（ステップＳ３：ＹＥＳ）、これをボタン電話機２Ａから受信すると、主装置１の操作登録部１３３は、そのロック解除操作を操作データ１４３のシステム解除データ１４３ａに登録する（ステップＳ４）。
【００２８】
これにより、ボタン電話システムのボタン電話機２Ａ〜２Ｎに共通するダイヤルデータであるシステムデータ１４２ａを使用可とするためのロック解除操作が、操作データ１４３にシステム解除データ１４３ａとして登録される。
【００２９】
《ボタン電話機のロック解除操作の登録動作》
次に、ボタン電話機２Ａ〜２Ｎのロック解除操作の登録動作について、図３を参照して説明する。
【００３０】
上述したシステム解除データ１４３ａの登録後、この登録動作と同等の方法でボタン電話機２Ａ〜２Ｎのロック解除操作の登録が行われる。例えばボタン電話機２Ｎの場合、電源が投入されたり、主装置１に接続されたりすると（ステップＳ１）、主装置１の主制御部１３の操作登録部１３３は、ボタン電話機２Ｎのユーザに対してロック解除操作の登録を要求する（ステップＳ２）。具体的には、主装置１の操作登録部１３３は、ボタン電話機２Ｎの子機制御部２４により、ボタン電話機２Ｎのユーザに上述した第１〜第４のロック解除操作のうちの何れかを行わせる。
【００３１】
操作入力部２３によりユーザのロック解除操作が検出され（ステップＳ３：ＹＥＳ）、これをボタン電話機２Ｎから受信すると、主装置１の操作登録部１３３は、そのロック解除操作を操作データ１４３の個別解除データ１４３ｂ−ｎに登録する（ステップＳ４）。
【００３２】
このような動作をボタン電話機２Ａ〜２Ｎで行うことにより、各ボタン電話機２Ａ〜２Ｎのダイヤルデータである個別データ１４２ｂ−１〜ｎを使用可とするためのロック解除操作が、個別解除データ１４３ｂ−１〜ｎとして登録される。
【００３３】
＜ロック解除動作＞
次に、図４を参照して、ロック解除動作について説明する。
【００３４】
《ボタン電話システムのロック解除動作》
例えば、電源が入っていない、留守設定中、休日設定中など、ボタン電話システムが動作を制限された特定の状態にある場合、ロック部１３２は、ダイヤルデータ１４２のシステムデータ１４２ａの使用を不可し、ダイヤルデータ１４２へのアクセスを禁止する。なお、システムデータ１４２ａが使用不可の場合、ロック部１３２は、個別データ１４２ｂ−１〜ｎも使用不可とする。
【００３５】
このような場合において、予め設定された特定のボタン電話機２Ａの操作入力部２３により、電源を投入する、留守設定を解除する、休日設定を解除する、何らかのキーが押下される等の操作入力が検出されると（ステップＳ１１）、主装置１のロック部１３２は、ボタン電話機２Ａのユーザに対してシステムデータ１４２ａのロック解除操作を要求する（ステップＳ１２）。この要求は、第１〜第４のロック解除操作のうち登録されたロック解除操作を行わせるべく、例えば、ボタン電話機２Ａの表示部２６にロック解除操作を要求する旨を表示させたり、ボタン電話機２ＡのＳＰ２２２よりロック解除操作を要求する旨の音声を出力させたりすることなどにより行われる。
【００３６】
ボタン電話機２Ａの操作入力部２３によりユーザのロック解除操作が検出されると、主装置１のロック部１３２は、そのロック解除操作と操作データ１４３のシステム解除データ１４３ａとを比較する（ステップＳ１３）。検出されたユーザのロック解除操作がシステム解除データ１４３ａと同一の場合（ステップＳ１３：ＹＥＳ）、ロック部１３２は、システムデータ１４２ａを使用可とする（ステップＳ１４）。これにより、ボタン電話機２の操作入力部２３により、例えばリダイヤルボタンが押下されたり、機能キーが押下されたりすることにより、発信履歴、着信履歴、電話帳などのボタン電話システムに共通するダイヤルデータの表示を要求されると、機能処理部１３１は、システムデータ１４２ａにアクセスし、その要求されたダイヤルデータをボタン電話機２の表示部２６に表示させる。なお、個別データ１４２ｂ−１〜ｎについては、ロック部１３２は、使用不可の状態を維持する。
【００３７】
一方、検出されたユーザのロック解除操作がシステム解除データ１４３ａと同一ではない場合（ステップＳ１３：ＮＯ）、ロック部１３２は、システムデータ１４２ａを使用不可とする状態を維持する（ステップＳ１５）。したがって、ボタン電話機２の操作入力部２３によりボタン電話システムに共通するダイヤルデータの表示が要求されても、機能処理部１３１は、システムデータ１４２ａにアクセスすることができないので、要求されたダイヤルデータがボタン電話機２の表示部２６に表示されない。このとき、ロック部１３２は、個別データ１４２ｂ−１〜ｎについても、使用不可の状態を維持する。
【００３８】
このように、ユーザのロック解除操作に基づいてシステムデータ１４２ａの使用可否を制御することにより、パスワードを用いる場合によりも、より容易にシステムデータ１４２ａを保護することができる。
【００３９】
なお、ボタン電話機２Ａ〜２Ｎの何れかが主装置１に接続されていない場合、ロック部１３２は、システムデータ１４２ａを使用可とするためのロック解除動作を行わない。これにより、例えばボタン電話機２Ａ〜２Ｎが盗難されたり、主装置１等が廃棄された場合、ボタン電話システムのダイヤルデータが第３者に流出することを防ぐことができる。
【００４０】
《ボタン電話機のロック解除動作》
次に、ボタン電話機２Ａ〜２Ｎのダイヤルデータのロック解除動作について、図４を参照して説明する。
【００４１】
システムデータ１４２ａを使用可とした後、このシステムデータ１４２ａのロック解除動作と同等の方法でボタン電話機２Ａ〜２Ｎのダイヤルデータのロック解除動作が行われる。具体的には、例えば電源が入っていない、主装置１に接続されていない、留守設定中、休日設定中などボタン電話機２の動作が制限された特定の状態にある場合、ロック部１３２は、ボタン電話機２Ｎのダイヤルデータ、すなわち個別データ１４２ｂ−ｎの使用を不可とする。
【００４２】
このような状態において、ボタン電話機２Ｎの操作入力部２３により、電源を投入する、主装置１に接続する、留守設定を解除する、休日設定を解除する、何らかのキーが押下される等の操作入力が検出されると（ステップＳ１１）、主装置１のロック部１３２は、ボタン電話機２Ｎのユーザに対してロック解除操作を要求する（ステップＳ１２）。この要求は、第１〜第４のロック解除操作のうち登録されたロック解除操作を行わせるべく、例えば、ボタン電話機２Ｎの表示部２６にロック解除操作を要求する旨を表示させたり、ボタン電話機２ＮのＳＰ２２２よりロック解除操作を要求する旨の音声を出力させたりすることにより行われる。
【００４３】
ボタン電話機２Ｎの操作入力部２３によりユーザのロック解除操作が検出されると、主装置１のロック部１３２は、その操作と操作データ１４３の個別解除データ１４３ｂ−ｎとを比較する（ステップＳ１３）。検出されたユーザのロック解除操作が個別解除データ１４３ｂ−ｎと同一の場合（ステップＳ１３：ＹＥＳ）、ロック部１３２は、ボタン電話機２Ｎのダイヤルデータである個別データ１４３ｂ−ｎを使用可とする（ステップＳ１４）。これにより、例えば、ボタン電話機２Ｎの操作入力部２３により、ボタン電話機２Ｎ個別のダイヤルデータの表示を要求されると、機能処理部１３１は、個別データ１４２ｂ−ｎにアクセスし、その要求されたダイヤルデータをボタン電話機２Ｎの表示部２６に表示させる。
【００４４】
一方、検出されたユーザのロック解除操作が個別解除データ１４３ｂ−ｎと同一ではない場合（ステップＳ１３：ＮＯ）、ロック部１３２は、個別データ１４３ｂ−ｎを使用不可とする状態を維持する（ステップＳ１５）。したがって、例えば、ボタン電話機２Ｎの操作入力部２３によりボタン電話機２Ｎ個別のダイヤルデータの表示が要求されても、機能処理部１３１は、個別データ１４３ｂ−ｎにアクセスすることができないので、要求されたダイヤルデータがボタン電話機２Ｎの表示部２６に表示されない。
【００４５】
このように、ユーザのロック解除操作に基づいて個別データ１４２ｂ−１〜ｎの使用可否を制御することにより、パスワードを用いる場合によりも、より容易に個別データ１４２ｂ−１〜ｎを保護することができる。
【００４６】
＜着信動作＞
次に、図５を参照して、ボタン電話機２Ａ〜２Ｎに対する着信動作について説明する。
【００４７】
まず、留守設定中、休日設定中など、ボタン電話システムは、ダイヤルデータ１４２、すなわちシステムデータ１４２ａおよび個別データ１４２ｂ−１〜ｎが使用不可の状態にあるものとする（ステップＳ２１）。
【００４８】
このような状態において、相手装置３のユーザが本実施の形態に係るボタン電話システムに対して発信操作を行い（ステップＳ２２）、着信を示す制御信号を受信すると（ステップＳ２３）、主装置１の機能処理部１３１は、ダイヤルデータ１４２が使用不可であるので、ボタン電話機２Ａ〜２Ｎの子機制御部２４によりＳＰ２２２から着信音を出力させるとともに、表示部２６に着信が入ったことのみを示す表示をさせる。これにより、ダイヤルデータ１４２が使用不可の状態であっても、着信に応答することが可能となる。
【００４９】
この後、予め設定された特定のボタン電話機２Ａの操作入力部２３により、ボタン電話システムのシステムデータ１４２ａを使用可とするロック解除操作が検出され（ステップＳ３１）、ダイヤルデータ１４２のうちシステムデータ１４２ａが使用可の状態となったとする（ステップＳ３２）。
【００５０】
このような状態において、相手装置３のユーザが本実施の形態のボタン電話システムに対して発信操作を行い（ステップＳ３３）、着信を示す制御信号を受信すると（ステップＳ３４）、主装置１の機能処理部１３１は、相手装置３の情報がシステムデータ１４２ａに記憶されている場合、ボタン電話機２Ａ〜２Ｎの子機制御部２４により、ＳＰ２２２から着信音を出力させるとともに、表示部２６に相手装置３の電話番号や氏名等を表示をさせる。この表示は、相手装置３側から受信する発信者番号通知やダイヤルデータ１４２のシステムデータ１４２ａに記憶されている電話帳に基づいて行うことができる。これにより、ボタン電話機２Ａのユーザは、システムデータ１４２ａに登録された発信者を認識することができる。
【００５１】
なお、相手装置３の情報がシステムデータ１４２ａに記憶されていない場合には、主装置１の機能処理部１３１は、ボタン電話機２Ａ〜２Ｎの子機制御部２４によりＳＰ２２２から着信音を出力させるとともに、表示部２６に着信が入ったことのみを示す表示をさせる。これにより、ダイヤルデータ１４２のうちシステムデータ１４２ａ以外のデータが使用不可の状態であっても、着信に応答することが可能となる。
【００５２】
また、ボタン電話機２Ａによりボタン電話システムのシステムデータ１４２ａを使用可とするロック解除操作を行っている際に相手装置３から着信が入った場合、ボタン電話機２ＡのＳＰ２２２から着信音は出力させないが、例えばＬＥＤなどの表示装置に着信を知らせるための表示を行わせるようにしてもよい。これにより、ボタン電話機２Ａのユーザは、システムデータ１４２ａのロック解除操作中であっても、着信を認識することができる。このとき、ボタン電話機２Ａ以外のボタン電話機２については、ＳＰ２２２から着信音を出力させるようにしてもよい。これにより、ボタン電話機２Ａ以外のボタン電話機２のユーザは、着信を認識することができる。
【００５３】
この後、例えば、ボタン電話機２Ａの操作入力部２３により、ボタン電話機２Ａの個別データ１４２ｂ−１を使用可とするロック解除操作が検出され（ステップＳ４１）、ボタン電話機２Ａにおいて、ダイヤルデータ１４２のうちシステムデータ１４２ａおよび個別データ１４２ｂ−１が使用可の状態となったとする（ステップＳ４２）。
【００５４】
このような状態において、ダイヤルデータがシステムデータ１４２ａには記憶されていないが個別データ１４２ｂ−１に記憶されている相手装置３が本実施の形態のボタン電話システムに対して発信操作を行ったものとする（ステップＳ４３）。着信を示す制御信号を受信すると（ステップＳ４４）、主装置１の機能処理部１３１は、ボタン電話機２Ａに対して、子機制御部２４によりＳＰ２２２から着信音を出力させるとともに表示部２６に相手装置３の電話番号や氏名等を表示をさせる。この表示は、相手装置３側から受信する発信者番号通知や個別データ１４２ｂ−１に記憶されている電話帳に基づいて行うことができる。これにより、ボタン電話機２Ａのユーザは、発信者を認識することができる。また、システムデータ１４２ａが使用可の状態にならないと個別データ１４２ｂ−１〜ｎを使用可の状態とすることができないので、個別データ１４２ｂ−１〜ｎをより効果的に保護することができる。
【００５５】
一方、ボタン電話機２Ｂ〜２Ｎに対して、主装置１の機能処理部１３１は、相手装置３の情報がシステムデータ１４２ａに記憶されていないので、ＳＰ２２２から着信音を出力させるとともに、表示部２６に着信が入ったことのみを示す表示をさせる。
【００５６】
なお、相手装置３の情報が個別データ１４２ｂ−１に記憶されていない場合には、主装置１の機能処理部１３１は、ボタン電話機２Ａの子機制御部２４によりＳＰ２２２から着信音を出力させるとともに、表示部２６に着信が入ったことのみを示す表示をさせる。
【００５７】
以上説明したように、本実施の形態によれば、所定のロック解除操作が検出されたか否かに基づいてダイヤルデータ１４２の使用の可否を制御することにより、当該ロック解除操作がパスワードを記憶する場合よりも感覚的に記憶することが可能であるので、ダイヤルデータ１４２をより容易に保護することできる。また、ロック解除操作そのものによりダイヤルデータ１４２の使用の可否が制御されるので、パスワードを入力する場合のように複雑な操作が不要とすることが可能となるので、結果として、ダイヤルデータ１４２をより容易に保護することができる。さらに、従来より備わっている装置で実現することができるので、指紋認証装置等の新たな装置を設ける必要がない。このため、装置構成が複雑になるのを防ぐことができるとともに、低コストも実現することができる。
【産業上の利用可能性】
【００５８】
本発明は、複数のボタン電話機を有する電話システムや複数の子機を有する親子電話機などに適用することができる。
【図面の簡単な説明】
【００５９】
【図１】本発明のボタン電話システムの構成を示すブロック図である。
【図２】（ａ）はダイヤルデータの構成を示す図、（ｂ）は操作データの構成を示す図である。
【図３】ロック解除操作の登録動作を示すフローチャートである。
【図４】ロック解除動作を示すフローチャートである。
【図５】ボタン電話機の着信時の動作を示すタイミングチャートである。
【符号の説明】
【００６０】
１…主装置、２，２Ａ，２Ｎ…ボタン電話機、３…相手装置、１０…電話網、１１…外線Ｉ／Ｆ部、１２…内線Ｉ／Ｆ部、１３…主制御部、１４…主記憶部、２０…内線伝送路、２１…伝送Ｉ／Ｆ部、２２…音声処理部、２３…操作入力部、２４…子機制御部、２５…制御メモリ、２６…表示部、１３１…機能処理部、１３２…ロック部、１３３…操作登録部、１４１…制御データ、１４２…ダイヤルデータ、１４２ａ…システムデータ、１４２ｂ−１〜ｎ…個別データ、１４３…操作データ、１４３ａ…システム解除データ、１４３ｂ−１〜ｎ…個別解除データ、２２１…ハンドセット、２２２…ＳＰ。
【図１】
2008252828.tif 000003
【図２】
2008252828.tif 000004
【図３】
2008252828.tif 000005
【図４】
2008252828.tif 000006
【図５】
2008252828.tif 000007